(57)【要約】      （修正有）【課題】シールド工法に好適なインサートの取付用治具およびインサートの埋設方法を提供する。【解決手段】インサートの取付用治具２１は、筒状の治具本体２９と固定具３０とを備える。この治具本体２９は、一端側の雄ねじ部１４と他端内周の雌ねじ孔３１とを備える。また、固定具３０は、固定具本体３４に固定蓋３５を取り付けてなり、固定具本体３４は、一対の脚部３６と、各脚部３６の外周の雄ねじ３７と、各脚部３６の他端から幅方向に張り出した後に垂直に延設された蓋受部３８とを備える。この両蓋受部３８を押圧すれば、両脚部３６が内方向に向かって変形して固定具本体３４が幅方向に縮小変形し、雌ねじ孔３１と雄ねじ３７とが離間し、両者３１，３７の締結が解除可能となっている。【選択図】図１
2017082399.tif 000002
【特許請求の範囲】
【請求項１】
被固定部材が固定されるインサートをコンクリート構造物に埋設する際に該インサートを型枠に取り付ける治具であって、
前記インサートの雌ねじ部に締結される雄ねじ部が一端側に形成されている治具本体と、該治具本体を前記型枠に固定する固定具と、を備え、
前記固定具は、前記治具本体の他端内に挿着されて幅方向に縮小変形の自在な固定具本体と、該固定具本体に取り付けられて前記縮小変形を規制する固定蓋と、を備え、
前記固定具本体は、前記固定蓋を取り付けた状態で前記治具本体の他端内に挿着される一方、
前記固定蓋を取り外して前記縮小変形させれば、前記治具本体の他端内周から離間し、前記挿着が解除されることを特徴とするインサート取付用治具。
【請求項２】
前記治具本体の他端内周に雌ねじが形成されている一方、
前記固定具本体に前記雌ねじに螺着する雄ねじが形成され、
前記固定具本体を前記縮小変形させれば、前記雄ねじが前記雌ねじから離間し、前記螺着による前記他端内への挿着が解除される
ことを特徴とする請求項１記載のインサート取付用治具。
【請求項３】
前記固定具本体は、それぞれの一端が連結された複数の脚部と、
前記各脚部の外面に形成された前記雄ねじと、
前記各脚部の他端から延設された蓋受部と、を備え、
前記両蓋受部を押圧すれば、前記各脚部が内方向に向かって変形して前記固定具本体が幅方向に縮小変形する
ことを特徴とする請求項２記載のインサート取付用治具。
【請求項４】
前記固定蓋は、前記各蓋受部の上端部間を閉塞する蓋体と、該蓋体の閉塞面側に形成された嵌入部と、を備え、
前記嵌入部が、前記固定蓋を前記固定具本体に取り付けたときに前記脚部間に嵌入することを特徴とする請求項３記載のインサート取付用治具。
【請求項５】
前記各脚部の内面には、前記嵌入部を案内して嵌入させる溝部が形成されていることを特徴とする請求項４記載のインサート取付用治具。
【請求項６】
前記各脚部のそれぞれの一端を連結する連結部が、前記脚部よりも薄肉状となっていることを特徴とする請求項３〜５のいずれか１項に記載のインサート取付用治具。
【請求項７】
前記治具本体は、前記雌ねじの一端側に多角棒レンチの端部が差し込み可能な多角穴を備え、
前記多角棒レンチを前記多角形穴に差し込んで一方向に回転させれば、前記締結が解除されることを特徴とする請求項２〜６のいずれか１項に記載のインサート取付用治具。
【請求項８】
コンクリート構造物に埋設されるインサートを取付治具を介して型枠に取り付ける際、
前記取付用治具の治具本体に形成された雄ねじ部を前記インサートの雌ねじ部に締結した状態のまま該治具本体を前記型枠に固定する固定具であって、
前記治具本体の他端内に挿着されて幅方向に縮小変形の自在な固定具本体と、該固定具本体に取り付けられて前記縮小変形を規制する固定蓋と、を備え、
前記固定具本体は、前記固定蓋を取り付けた状態で前記治具本体の他端内に挿着される一方、
前記固定蓋を取り外して前記縮小変形させれば、前記治具本体の他端内周から離間し、前記挿着が解除されることを特徴とするインサート取付用治具の固定具。
【請求項９】
コンクリート構造物に被固定部材を固定するインサートを、請求項１に記載されたインサート取付用治具を用いて、前記コンクリート構造物に埋設する方法であって、
前記治具本体の雄ねじ部に前記インサートの雌ねじ部を締結し、前記治具本体を前記インサートに取り付ける工程と、
前記固定蓋を取り付けた状態において前記型枠の取付孔を介して前記固定具本体を前記治具本体の他端内に挿着し、前記型枠に前記治具本体を固定する工程と、
前記型枠に前記取付用治具を介して取り付けられたインサートを硬化前のコンクリートに差し込んで埋設する工程と、
前記固定具本体から前記固定蓋を取り外し、前記固定具本体を前記縮小変形させて前記治具本体の他端内周から離間させ、前記挿着を解除して前記型枠を取り外す工程と、
を有することを特徴とするインサートの埋設方法。
【請求項１０】
コンクリート構造物に被固定部材を固定するインサートを、請求項２または３に記載されたインサート取付用治具を用いて、前記コンクリート構造物に埋設する方法であって、
前記治具本体の雄ねじ部に前記インサートの雌ねじ部を締結し、前記治具本体を前記インサートに取り付ける工程と、
前記固定蓋を取り付けた状態において前記型枠の取付孔を介して、前記固定具本体の雄ねじを前記治具本体の雌ねじに螺着させ、前記型枠に前記治具本体を固定する工程と、
前記型枠に前記取付用治具を介して取り付けられたインサートを硬化前のコンクリートに差し込んで埋設する工程と、
前記固定具本体から前記固定蓋を取り外し、前記固定具本体を前記縮小変形させて前記雄ねじを前記雌ねじから離間させ、前記螺着を解除して前記型枠を取り外す工程と、
を有することを特徴とするインサートの埋設方法。
【請求項１１】
前記雌ねじの一端側に形成された多角形穴に多角棒レンチの端部を差し込んで、該多角棒レンチを一方向に回転させて前記締結を解除する工程を、
さらに有することを特徴とする請求項１０記載のインサートの埋設方法。
【発明の詳細な説明】
【技術分野】
【０００１】
本発明は、被固定部材を固定するインサートをコンクリート構造物に埋設する際に型枠に取り付ける治具及び該治具を型枠に固定する固定具、並びに該治具を用いたインサートの埋設方法に関する。
【背景技術】
【０００２】
周知のように地下鉄・道路・下水道・地下水路・地下河川などのトンネル工事にはシールド工法が多く採用されている。このシールド工法は、シールドマシンで地中を掘削すると同時にシールドマシンの後部でセグメントにより覆工を行ってシールドトンネルを構築する。
【０００３】
このセグメントは覆工として組み立てる円弧状のブロックであり、該セグメントを組み立ててシールドマシンで掘削したトンネル内壁をアーチ状に覆うことにより覆工が行われる。このセグメントには、所望の被固定部材を締結するためにインサートが埋設されている。
【０００４】
このインサートの一例として特許文献１が公知となっている。図１２に基づき説明すれば、インサート１は、雌ねじ孔２が形成されたインサート本体３と、雌ねじ孔２に連通する連通孔４ａ，４ｂが軸方向に形成されたスリーブ５ａ，５ｂとを備え、プラスチックホルダ（取付用治具）８により型枠６に着脱自在に取り付けられている。このプラスチックホルダ８は、一端部に形成された雄ねじ部９と、他端部に形成されたストッパー１０とを備える。
【０００５】
このストッパー１０は、弾性変形可能な一対のストッパー片１０ａと、最先端１０ｂに形成された抜脱用のナット穴１０ｃとを備えている。このナット穴１０ｃは、横断面六角形状の六角穴に形成され、図示省略の六角棒レンチの端部が嵌入可能となっている。
【０００６】
そして、インサート１を前記セグメントに埋設する際は、まず雄ねじ部９を連通孔４ａ，４ｂに通して雌ねじ孔２に締結させた後にストッパー１０を型枠６の取付孔７に挿通する。このとき型枠６がストッパー片１０ａとスリーブ５ｂとに挟まれ、インサート１が型枠６に取り付けられる。
【０００７】
つぎにインサート１を型枠６に取り付けた状態のまま、硬化前のコンクリート（セグメント）内にインサート本体３側から差し込む。その後にナット穴１０ｃに前記六角棒レンチの端部を嵌入させ、前記六角棒レンチを一方向に回転させてプラスチックホルダ８が取り外されている。
【先行技術文献】
【特許文献】
【０００８】
【特許文献１】特開２００３−２７５９７
【発明の概要】
【発明が解決しようとする課題】
【０００９】
特許文献１のプラスチックホルダ８を用いたインサート１の埋設には、次の問題が生じるおそれがある。なお、一般的なインサート１の埋設方法、例えば型枠６の外部から鋼製の六角頭付ボルトで埋設する場合にも同様な問題が生じる。
【００１０】
（１）シールド工法によるトンネル工事などでは、コンクリート硬化前にセグメント表面の左官仕上げが行われることが多く、その左官仕上げ前にプラスチックホルダ８を取り外さなければならない。
【００１１】
したがって、コンクリートが半乾き状態のときにプラスチックホルダ８の取外し作業が実施され、前記六角レンチ棒の回転によりインサート１が本来の埋設位置からずれて埋設されたり、あるいは傾いた状態で埋設されるおそれがある。また、インサート１の連れ廻りによりプラスチックホルダ８などの取外しが困難となって作業性を悪化させるおそれもある。
【００１２】
そこで、現状はインサート本体３に図示省略の抵抗翼などを設ける対策が施されているものの、インサート１と併せて前記抵抗翼も埋設されてしまうため、コンクリート内の異物量が増え、コンクリート強度を低下させるおそれがあり、好ましくない。
【００１３】
（２）プラスチックホルダ８の取り外し後は、雌ねじ孔２および連通孔４ａ，４ｂが剥き出しなため、直ちに被固定部材を締結しない場合には各孔２，４ａ，４ｂにゴミや埃などが詰まったり、劣化するおそれがある。これでは後日、被固定部材の締結が困難となってしまう。
【００１４】
本発明は、このような問題を解決するためになされ、シールド工法のトンネル工事に好適なインサート取付用治具やインサートの埋設方法を提供することを解決課題としている。
【課題を解決するための手段】
【００１５】
本発明の一態様は、被固定部材が固定されるインサートをコンクリート構造物に埋設する際に該インサートを型枠に取り付ける治具に関する。この治具は、前記インサートの雌ねじ部に締結される雄ねじ部が一端側に形成されている治具本体と、該治具本体を前記型枠に固定する固定具と、を備え、前記固定具は、前記治具本体の他端内に挿着されて幅方向に縮小変形の自在な固定具本体と、該固定具本体に取り付けられて前記縮小変形を規制する固定蓋と、を備え、前記固定具本体は、前記固定蓋を取り付けた状態で前記治具本体の他端内に挿着される一方、前記固定蓋を取り外して前記縮小変形させれば、前記治具本体の他端内周から離間し、前記挿着が解除されることを特徴としている。
【００１６】
本発明の他の態様は、コンクリート構造物に埋設されるインサートを取付治具を介して型枠に取り付ける際、前記取付用治具の治具本体に形成された雄ねじ部を前記インサートの雌ねじ部に締結した状態のまま該治具本体を前記型枠に固定する固定具に関する。この固定具は、前記治具本体の他端内に挿着されて幅方向に縮小変形の自在な固定具本体と、該固定具本体に取り付けられて前記縮小変形を規制する固定蓋と、を備え、前記固定具本体は、前記固定蓋を取り付けた状態で前記治具本体の他端内に挿着される一方、前記固定蓋を取り外して前記縮小変形させれば、前記治具本体の他端内周から離間し、前記挿着が解除されることを特徴としている。
【００１７】
本発明のさらに他の態様は、コンクリート構造物に被固定部材を固定するインサートを、前記取付用治具を用いて前記コンクリート構造物に埋設する方法に関する。この方法は、前記治具本体の雄ねじ部に前記インサートの雌ねじ部を締結し、前記治具本体を前記インサートに取り付ける工程と、前記固定蓋を取り付けた状態において前記型枠の取付孔を介して前記固定具本体を前記治具本体の他端内に挿着し、前記型枠に前記治具本体を固定する工程と、前記型枠に前記取付用治具を介して取り付けられたインサートを硬化前のコンクリートに差し込んで埋設する工程と、前記固定具本体から前記固定蓋を取り外し、前記固定具本体を前記縮小変形させて前記治具本体の他端内周から離間させ、前記挿着を解除して前記型枠を取り外す工程と、を有することを特徴としている。
【００１８】
前記方法は、前記治具本体の雄ねじ部に前記インサートの雌ねじ部を締結し、前記治具本体を前記インサートに取り付ける工程と、前記固定蓋を取り付けた状態において前記型枠の取付孔を介して、前記固定具本体の雄ねじを前記治具本体の雌ねじに螺着させ、前記型枠に前記治具本体を固定する工程と、前記型枠に前記取付用治具を介して取り付けられたインサートを硬化前のコンクリートに差し込んで埋設する工程と、前記固定具本体から前記固定蓋を取り外し、前記固定具本体を前記縮小変形させて前記雄ねじを前記雌ねじから離間させ、前記螺着を解除して前記型枠を取り外す工程と、を有していてもよい。
【発明の効果】
【００１９】
本発明によれば、シールド工法のトンネル工事に好適なインサートの取付用治具およびインサートの埋設方法を提供することができる。
【図面の簡単な説明】
【００２０】
【図１】本発明の実施形態に係るインサート取付用治具の縦断面図。
【図２】（ａ）は同取付用治具の治具本体の側面図、（ｂ）は（ａ）のＡ−Ａ断面図。
【図３】（ａ）は同取付用治具の固定具の正面図、（ｂ）は（ａ）のＢ−Ｂ断面図。
【図４】（ａ）は同固定具の側面図、（ｂ）は（ａ）のＣ−Ｃ断面図。
【図５】同固定具の固定蓋を取り外した状態の斜視図。
【図６】同固定具の成形体の斜視図。
【図７】（ａ）は図６の成形体を折り曲げる工程を示す斜視図、（ｂ）は固定蓋を取り付ける工程を示す斜視図、（ｃ）は（ａ）（ｂ）に示す工程の終了後の斜視図。
【図８】（ａ）はインサートに治具本体を取り付ける工程を示す縦断面図、（ｂ）は治具本体に固定具を取り付ける工程を示す縦断面図、（ｃ）は（ｂ）の状態のまま硬化前のコンクリートに差し込む工程を示す縦断面図。
【図９】（ａ）は固定蓋を固定具本体から取り外す工程を示す縦断面図、（ｂ）は固定具本体を押圧した工程を示す縦断面図、（ｃ）は固定具を治具本体から取り外す工程を示す縦断面図、（ｄ）は型枠を取り外す工程を示す縦断面図。
【図１０】（ａ）は六角棒レンチにより治具本体とインサートとの締結を解除する状態を示す縦断面図、（ｂ）は治具本体を取り外す状態を示す縦断面図。
【図１１】シールドトンネルの縦断面図。
【図１２】特許文献１のインサートの縦断面図。
【発明を実施するための形態】
【００２１】
以下、本発明の実施形態を説明する。ここではインサートは、主にシールド工法により構築されたシールドトンネルのセグメント（円弧状のコンクリートブロック）に埋設されるものとする。
【００２２】
例えば図１１に示す道路トンネル用のシールドトンネル１５であれば、セグメント１６に埋設された前記インサート１７に床版用ブラケット１８や照明１９などの被固定部材を固定することができる。
【００２３】
≪インサート取付用治具の構成例≫
図１〜図７に基づきインサート取付用治具の構成例を説明する。この取付用治具２１は、図１に示すように、セラミック製のインサート１７をセグメント１６に埋設する際、金属製の型枠２２にインサート１７を着脱自在に取り付けている。
【００２４】
このインサート１７は、雌ねじ穴２３が形成された卵形のインサート本体２４と、雌ねじ穴２３に連通する連通孔２５が内部の軸方向に形成された管状のスリーブ２６と、スリーブ２６の開口端部に接着などで固着された環状のシール部（例えばゴムシールなど）２７とを有している。また、型枠２２は、セグメント１６に応じて湾曲され、インサート１７の取付用の取付孔２８が貫通形成され、該取付孔２８の内周縁にシール部２７が圧接してシールされている。
【００２５】
前記取付用治具２１は、筒状の治具本体２９と、治具本体２９を型枠２２に取り付ける固定具３０とを備えている。この両者２９，３０は、樹脂製が好ましいが、材料は特に限定されないものとする。
【００２６】
治具本体２９は、図１および図２（ａ）（ｂ）に示すように、雌ねじ穴２３に
螺入して締結される一端側の雄ねじ部１４と、他端外周のフランジ２０と、他端内周の雌ねじ孔３１と、雌ねじ孔３１に連通形成された六角穴３２とを備え、該六角穴３２は雌ねじ孔３１の一端側に配置されている。この六角穴３２は、横断面六角形状に形成され、雌ねじ孔３１を介して図１０に示す六角棒レンチ５０の端部５０ａを差し込むことが可能となっている。
【００２７】
固定具３０は、図１に示すように、略Ｖ字状に折り曲げられた固定具本体３４と、該固定具本体３４に着脱自在に取り付けられる固定蓋３５とを備えている。この固定具本体３４は、図３（ａ）（ｂ）に示すように、互いに一端が連結された一対の脚部３６と、脚部３６の外面の他端側に形成された雄ねじ３７と、脚部３６の他端から幅方向に張り出した後に脚部３６の反対方向に延設された一対の蓋受部３８とを備え、雄ねじ３７は雌ねじ孔３１に螺着（締結）が可能となっている。
【００２８】
また、一方の蓋受部３８と固定蓋３５とは、図４（ａ）の接続部３９により接続されている。さらに両脚部３６の一端部同士を連結する連結部４５は、内周側に円弧状の抉りが設けられているため、両脚部３６よりも薄肉状となっている。
【００２９】
固定蓋３５は、図３（ａ）（ｂ）に示すように、両蓋受部３８の上端部３８ａに載置されて該上端部３８ａ間を閉塞する円盤状の蓋体４０と、蓋体４０の閉塞面（内面）中央に縦断面凸状に立設された嵌入部４１とを備えている。この嵌入部４１は、図４（ｂ）に示すように、蓋体４０の閉塞面中央に形成された基部４２と、基部４２の底部中央から蓋体４０と反対方向に突出形成された円筒状の先端部４４とを備えている。
【００３０】
この基部４２は、図４（ｂ）に示すように、蓋体４０から連続した肉抜穴４３により縦断面Ｕ字状を呈している。ここでは基部４２は、蓋受部３８間に嵌入して各蓋受部３８の底部３８ｂに載置されている一方、先端部４４は、蓋受部３８間を通って両脚部３６間に嵌入している。このとき各脚部３６の内面の他端側、即ち雄ねじ３７の内側には先端部４４を案内しつつ嵌入させるガイド溝４６が形成されている。ここでは先端部４４の両脚部３６間への嵌入は、基部４２が前記底部３８ｂに当たることで規制される。この点で前記底部３８ｂは嵌入部４１のストッパーとして機能している。
【００３１】
そして、図５の矢印Ｑに示すように、固定蓋３５を固定具本体３４から取り外せば、両脚部３６が連結部４５を中心とする図５の矢印Ｐ方向（内方向）への変形するため、固定具本体３４の幅方向への縮小変形が自在となる。これにより雄ねじ３７が雌ねじ孔３１から離間し、両者３１，３７の螺着（締結）が解除される。
【００３２】
≪インサートの取付方法≫
以下、取付用治具２１を用いたインサート１７の埋設方法を説明する。ここではインサート１７は、次の作業工程Ａ〜Ｄを経てシールドトンネル１５のセグメント１６に埋設される。
【００３３】
（１）作業工程Ａ
図６および図７に基づき作業工程Ａを説明する。この作業工程Ａは、インサートの埋設作業前の準備工程を示している。
【００３４】
すなわち、固定具３０は、樹脂材料の抜き加工などで成形された図６の成形体３０ａの状態でシールドトンネル１５などの施工現場に提供される。この成形体３０ａの固定具本体３４はＩ字状を呈し、両脚部３６が約１８０度に開脚しており、接続部３９が一方の蓋受部３８の上端から略水平に延設されて蓋体４０に連結している。
【００３５】
この作業工程Ａでは、まず図７（ａ）に示すように、成形体３０ａの両蓋受部３８に対して矢印Ｒ方向の応力を人手で加えて略Ｖ字状に折り曲げて、図７（ｂ）の固定具本体３４の状態とする。このとき連結部４５が脚部３６よりも薄肉状なため、該連結部４５を中心に折曲し易くなっている。
【００３６】
つぎに図７（ｂ）の矢印Ｓに示すように、固定具本体３４に固定蓋３５を取り付ける。ここでは蓋受部３８の底部３８ｂに基部４２が当たるまで嵌入部４１の先端部４４をガイド溝４６間に嵌入させる。これにより基部４２が両蓋受部３８の底部３８ｂに載置され、両蓋受部３８の上端部３８ａ間が蓋体４０により閉塞される。
【００３７】
この場合にはガイド溝４６間に嵌入部４１の先端部４４が嵌入しているため、両脚部３６の図５に示す矢印Ｐ方向への変形が規制される。これにより両脚部３６の雄ねじ３７を「ねじ」として機能させることが可能となる。なお、固定蓋３５の取り付けにより、図７（ｃ）に示すように固定具３０が完成し、インサート埋設前の準備工程を終了する。
【００３８】
（２）作業工程Ｂ
図８に基づき作業工程Ｂを説明する。この作業工程Ｂは、型枠２２にインサート１７を取り付けてコンクリートに埋設する工程を示している。
【００３９】
まず、図８（ａ）に基づきインサート１７への治具本体２９の取付工程を説明する。ここでは治具本体２９の雄ねじ部１４をシール部２７の開口部に対向させ、治具本体２９を矢印Ａ−１方向に回転させながら、矢印Ａ−２に示すように、雄ねじ部１４を雌ねじ穴２３に螺入させ、両者２３，１４を締結する。
【００４０】
つぎに図８（ｂ）に基づき型枠２２に対する治具本体２９の取付工程を説明する。ここでは固定具本体３４の両脚部３６を型枠２２の外側から取付孔２８に挿通し、その後に固定具本体３４を矢印Ｂ−１方向に回転させながら、矢印Ｂ−２に示すように、雄ねじ３７を雌ねじ孔３１に螺入させる。これにより雌ねじ孔３１に雄ねじ３７が螺着し、両者３１，３７が締結される。
【００４１】
その結果、シール部２７と蓋受部３８との間に型枠２２が挟まれ、型枠２２に治具本体２９が取り付けられ、これによりインサート１７が治具本体２９を介して型枠２２に取り付けられる。このとき雄ねじ３７の雌ねじ孔３１に対する螺入量を増減させることで型枠２２の規格や寸法誤差による厚さの相違に十分に対応することができる。
【００４２】
この型枠２２への取付工程後は、図８（ｃ）の矢印Ｃに示すように、硬化前のセグメント１６（好ましくは打設直後のセグメント１６）にインサート本体２４側から差し込んでインサート１７を埋設する。
【００４３】
（３）作業工程Ｃ
図９に基づき作業工程Ｃを説明する。この作業工程Ｃは、型枠２２を取り外す工程を示し、セグメント１６の硬化前の半乾きの状態で行われる。まず、図９（ａ）に示すように、固定蓋３５を固定具本体３４から取り外す作業が行われる。その際は、蓋受部３８間を介して蓋体４０の外周縁に指を掛けて矢印Ｄ方向に持ち上げればよい。
【００４４】
つぎに図９（ｂ）に示すように、両蓋受部３８を矢印Ｅ方向に押圧し、両脚部３６を図５の矢印Ｐ方向に変形させる。これにより雄ねじ３７が雌ねじ孔３１から離間し、両者３１，３７の螺着（締結）が解除される。この状態のまま図９（ｃ）の矢印Ｆ方向に持ち上げれば、固定具３０が治具本体２９から取り外され、図９（ｄ）の矢印Ｇに示すように、型枠２２の取外しが可能となる。
【００４５】
すなわち、雄ねじ３７と雌ねじ孔３１との螺着（締結）を解除する際は、両蓋受部３８を矢印Ｅ方向に押圧すると同時に矢印Ｆ方向に持ち上げればよく、固定具本体３４を矢印Ｂ−１の反対方向に回転させる必要はない。
【００４６】
したがって、取付用治具２１によれば、インサート１７が本来の埋設位置からずれて埋設されたり、傾いた状態で埋設されるおそれは皆無であり、またインサート１７の連れ廻りによる作業性悪化のおそれもない。
【００４７】
その結果、従来のようにインサート１７に抵抗翼などを設ける必要が無く、この点でコンクリート内の異物量を減少させることができ、コンクリート強度の低下防止に寄与できる。この意味でシールド工法のトンネル工事に好適なインサートの取付用治具やインサートの埋設方法を提供することができる。
【００４８】
なお、型枠２２の取外し後は、治具本体２９をインサート１７の残り蓋として利用することができる。これにより雌ねじ穴２３や連通孔２５にゴミや埃などの侵入を阻止でき、両者２３，２５の劣化を防止できる。
【００４９】
（３）作業工程Ｄ
図１０に基づき作業工程Ｄを説明する。この作業工程（Ｄ）は、インサート１７に被固定部材を固定する際の治具本体２９の取外工程を示し、治具本体２９を残り蓋として利用する場合には行われない。
【００５０】
ここでは図１０（ａ）の矢印Ｈ−１に示すように、六角棒レンチ５０の端部５０ａを、雌ねじ孔３１を介して六角穴３２内に差し込む。この状態のまま六角棒レンチ５０を矢印Ｈ−２方向に回転させ、雄ねじ部１４と雌ねじ穴２３との締結を解除させる。
【００５１】
これにより図１０（ｂ）の矢印Ｉに示すように、治具本体２９をインサート１７から取り外すことができる。治具本体２９の取外し後は、雌ねじ穴２３に所望の被固定部材の雄ねじ部を締結し、該被固定部材を固定することができる。
【００５２】
≪他例≫
本発明は、上記実施形態に限定されるものではなく、各請求項に記載された範囲内で変形して実施することができる。以下に一例を示す。
【００５３】
（１）施工現場には、図６の成形体３０ａではなく、図７（ｃ）に示す固定具３０の完成状態で提供すれば、作業工程Ａを省略することができる。この場合には連結部４５に円弧状の抉りを設ける必要がなく、この点で両脚部３６よりも薄肉状とする必要もない。
【００５４】
（２）治具本体２９の雌ねじ孔３１と固定具３０の雄ねじ３７とを廃止し、単に治具本体２９の他端に孔部を形成するだけでもよい。この場合には固定具本体３４に固定蓋３５を取り付けて両脚部３６を前記孔部内に挿入すれば、両脚部３６が前記孔部に挿着される。
【００５５】
一方、固定蓋３５を取り外せば両脚部３６が図５の矢印Ｐ方向に変形自在となるため、前記挿着を解除することができる。このとき六角穴３２は、前記孔部の一端側に連通形成すればよい。
【００５６】
（３）治具本体２９の他端内周には六角穴３２ではなく、横断面正方形状の四角穴を雌ねじ孔３１に連通して形成してもよい。この場合には六角棒レンチ５０ではなく、雌ねじ孔３１を介して四角棒レンチを差し込めば、雄ねじ部１４と雌ねじ穴２３との締結を解除することができる。
【００５７】
（４）固定具本体３４において、両脚部３６は略Ｖ字状の二股に形成されている必要は無く、複数の脚部３６の一端をそれぞれ連結して構成してもよい。また、嵌入部４１の先端部４４は、ガイド溝４６間に嵌入可能な形状であればよく、円筒状には限定されず、例えば錐状（円錐状など）であってもよい。
【符号の説明】
【００５８】
１５…シールドトンネル（コンクリート構造物）
１６…セグメント
１７…インサート
２１…取付用治具
２３…雌ねじ穴（雌ねじ部）
２９…治具本体
３０…固定具
３１…雌ねじ孔（雌ねじ）
３２…六角穴（多角穴）
３４…固定具本体
３５…固定蓋
３６…脚部
３７…雄ねじ
３８…蓋受部
４０…蓋体
４１…嵌入部
４５…連結部
４６…ガイド溝（溝部）
５０…六角棒レンチ（多角棒レンチ）
５０ａ…六角棒レンチの端部（多角棒レンチの端部）
【図１】
2017082399.tif 000003
【図２】
2017082399.tif 000004
【図３】
2017082399.tif 000005
【図４】
2017082399.tif 000006
【図５】
2017082399.tif 000007
【図６】
2017082399.tif 000008
【図７】
2017082399.tif 000009
【図８】
2017082399.tif 000010
【図９】
2017082399.tif 000011
【図１０】
2017082399.tif 000012
【図１１】
2017082399.tif 000013
【図１２】
2017082399.tif 000014